(57)【特許請求の範囲】
【請求項１】
被検者の心腔内に挿入されたカテーテルを介して前記被検者の心臓を刺激する心臓電気刺激装置と、当該心臓電気刺激装置をリモート操作可能な生体情報記録装置であって、前記被検者から取得された生体情報を記録する生体情報記録装置とを有する医療システムにおいて、
前記心臓電気刺激装置に対する直接的な操作である第１の操作を受け付ける第１の操作受付部と、
前記生体情報記録装置からの前記心臓電気刺激装置に対するリモート操作である第２の操作を受け付ける第２の操作受付部と、
前記第１の操作受付部および前記第２の操作受付部により前記第１の操作および前記第２の操作が同時に受け付けられた場合、前記第１の操作に対応する処理は実行せずに、前記第２の操作に対応する処理を実行するように制御する実行制御部とを備えたことを特徴とする医療システム。
【請求項２】
前記心臓電気刺激装置による刺激処理が実行中であるか否かについて判定する刺激実行判定部を更に備え、
前記実行制御部は、前記第１の操作受付部および前記第２の操作受付部により前記第１の操作および前記第２の操作が同時に受け付けられた場合、前記刺激実行判定部により前記刺激処理が実行中であると判定されたとき、前記第２の操作に対応する処理は実行せずに、前記第１の操作に対応する処理を実行するように制御することを特徴とする、請求項１に記載の医療システム。
【請求項３】
前記生体情報記録装置において所定のイベントが発生したか否かを判定するイベント発生判定部を更に備え、
前記実行制御部は、前記第１の操作受付部および前記第２の操作受付部により前記第１の操作および前記第２の操作が同時に受け付けられた場合、前記イベント発生判定部により前記所定のイベントが発生したと判定されたとき、前記第２の操作に対応する処理は実行せずに、前記第１の操作に対応する処理を実行するように制御することを特徴とする、請求項１に記載の医療システム。
【請求項４】
前記心臓電気刺激装置による刺激処理が実行中であるか否かについて判定する刺激実行判定部と、前記生体情報記録装置において所定のイベントが発生したか否かを判定するイベント発生判定部とを更に備え、
前記実行制御部は、前記第１の操作受付部および前記第２の操作受付部により前記第１の操作および前記第２の操作が同時に受け付けられ、かつ、前記刺激実行判定部により前記刺激処理が実行中でないと判定された場合、前記イベント発生判定部により前記所定のイベントが発生したと判定されたとき、前記第２の操作に対応する処理は実行せずに、前記第１の操作に対応する処理を実行するように制御することを特徴とする、請求項１に記載の医療システム。
【請求項５】
前記第１の操作は、前記心臓電気刺激装置における操作頻度の高い操作キー、または、安全上重要な操作キーを押下する操作であることを特徴とする、請求項２〜４の何れか１項に記載の医療システム。
【発明の詳細な説明】
【技術分野】
【０００１】
本発明は、心臓電気生理学検査を行うことが可能な医療システムに関する。
【背景技術】
【０００２】
現在、不整脈の原因と程度を調べるため、心臓電気生理学検査(Electro Physiological Study：EPS)が行われている。心臓電気生理学検査では、被検者の大腿部や肘等の血管から電極カテーテルを挿入し、心臓に電気刺激を加えながら心臓内各部の電位を記録する。心臓電気生理学検査の目的は、洞結節や刺激伝導系の機能評価、および不整脈の発生機序を精査することである。その精査結果を踏まえて、当該部分を高周波電流で焼き切る治療（アブレーション治療）を行うことができる。
【０００３】
心臓電気生理学検査では、生体情報記録装置および心臓電気刺激装置が一般的に使用されている。生体情報記録装置は、被検者から取得された生体情報（例えば、心内心電図）を記録する。心臓電気刺激装置は、先端に電極の付いたカテーテルを被検者の心腔内に挿入して、所定パターンの電気刺激パルスを出力することにより被検者の心臓を刺激する。
【０００４】
心臓電気生理学検査が行われる検査室は、生体情報記録装置が置かれる操作室と、心臓電気刺激装置が置かれる検査室とに分かれている。操作室では、医療従事者が生体情報記録装置の操作を行う。検査室では、医師が被検者に電極カテーテルを挿入する傍で、医療従事者が心臓電気刺激装置の操作を当該医師の指示に従って行う。
【０００５】
心臓電気生理学検査においては、被検者に挿入された電極カテーテルの位置の監視を長時間にわたってＸ線により行うため、検査室にいる医療従事者のＸ線被爆量が増大するという問題があった。この問題に関連して、Ｘ線を被爆する心配がない操作室において、医療従事者が、生体情報記録装置を操作することに加えて、検査室に置かれている心臓電気刺激装置をリモート操作することができるようにした技術が提案されている（例えば、特許文献１、２を参照）。
【先行技術文献】
【特許文献】
【０００６】
【特許文献１】特許第３１５３９４３号公報
【特許文献２】特開２００３−２１０４２９号公報
【発明の概要】
【発明が解決しようとする課題】
【０００７】
しかしながら、上記特許文献１、２に記載の技術では、検査室に置かれている心臓電気刺激装置を操作室からリモート操作できるとともに、検査室でも心臓電気刺激装置を直接操作することができるため、検査室にいる医師や看護師等が心臓電気刺激装置に接触して不用意に心臓電気刺激装置が操作されてしまう場合がある。この場合、操作室の検査技師等が心臓電気刺激装置をリモート操作していると、操作室および検査室の両側から心臓電気刺激装置が同時に操作されることとなり、操作室にいる操作者の意図した処理が実行されない不具合が発生する可能性があるという問題があった。
【０００８】
近年、簡便な入力方式であるタッチパネル入力方式が増え、心臓電気刺激装置にも採用されており、不用意な接触により機器が同時に操作されてしまう事態が、より現実的な問題となっている。
【０００９】
本発明は、このような問題を解決するために成されたものであり、操作室および検査室の両側から心臓電気刺激装置が同時に操作された場合でも、操作室にいる操作者の意図した処理を確実に実行することができる医療システムを提供することを目的とする。
【課題を解決するための手段】
【００１０】
本発明に係る医療システムは、被検者の心腔内に挿入されたカテーテルを介して前記被検者の心臓を刺激する心臓電気刺激装置と、当該心臓電気刺激装置をリモート操作可能な生体情報記録装置であって、前記被検者から取得された生体情報を記録する生体情報記録装置とを有し、
前記心臓電気刺激装置に対する直接的な操作である第１の操作を受け付ける第１の操作受付部と、
前記生体情報記録装置からの前記心臓電気刺激装置に対するリモート操作である第２の操作を受け付ける第２の操作受付部と、
前記第１の操作受付部および前記第２の操作受付部により前記第１の操作および前記第２の操作が同時に受け付けられた場合、前記第１の操作に対応する処理は実行せずに、前記第２の操作に対応する処理を実行するように制御する実行制御部とを備えたことを特徴とする。
【発明の効果】
【００１１】
本発明によれば、操作室（生体情報記録装置）および検査室（心臓電気刺激装置）の両側から心臓電気刺激装置が同時に操作された場合、操作室から行われたリモート操作のみが有効とされる。よって、操作室および検査室の両側から心臓電気刺激装置が同時に操作された場合でも、操作室にいる操作者の意図した処理を確実に実行することができる。
【図面の簡単な説明】
【００１２】
【図１】第１の実施の形態における医療システムの構成例を示す図である。
【図２】第１の実施の形態における心臓電気刺激装置の動作例を示すフローチャートである。
【図３】第２の実施の形態における医療システムの構成例を示す図である。
【図４】第２の実施の形態における心臓電気刺激装置の動作例を示すフローチャートである。
【図５】第３の実施の形態における医療システムの構成例を示す図である。
【図６】第３の実施の形態における心臓電気刺激装置の動作例を示すフローチャートである。
【図７】第４の実施の形態における医療システムの構成例を示す図である。
【図８】第４の実施の形態における心臓電気刺激装置の動作例を示すフローチャートである。
【発明を実施するための形態】
【００１３】
（第１の実施の形態）
以下、本発明の第１の実施の形態を図面に基づいて詳細に説明する。図１は、第１の実施の形態における医療システム１００の構成例を示すブロック図である。図１に示すように、医療システム１００は、心臓電気生理学検査が行われる検査室内において、操作室に設置される生体情報記録装置１２０と、検査室に設置される心臓電気刺激装置１４０とを備えて構成されている。生体情報記録装置１２０と心臓電気刺激装置１４０との間は、通信ノイズを低減して波形品質の向上を図るため、イーサネット（登録商標）ケーブルにて接続されている。
【００１４】
生体情報記録装置１２０は、心臓電気生理学検査の際、被検者から取得された生体情報（例えば、心内心電図）を記録するものである。生体情報記録装置１２０の構成について説明する。図１に示すように、生体情報記録装置１２０は、操作部２００、操作受付部２２０（特許請求の範囲の「第２の操作受付部」に対応）および実行制御部２４０を備えて構成されている。
【００１５】
操作部２００は、マウス、タッチパネルまたは操作スイッチ等であり、操作室の検査技師等が生体情報記録装置１２０に対して各種の操作（例えば、生体情報の表示設定操作、生体情報の記録指示操作など）を行ったり、心臓電気刺激装置１４０に対して各種のリモート操作（特許請求の範囲の「第２の操作」に対応し、以下「第２の操作」と称する）を行ったりするためのものである。第２の操作は例えば、電気刺激条件の設定操作、電気刺激の実行指示操作、電気刺激の停止指示操作などである。
【００１６】
操作受付部２２０は、操作部２００を介して、生体情報記録装置１２０に対する操作を受け付ける。操作受付部２２０は、生体情報記録装置１２０に対する操作を受け付けた場合、その旨を実行制御部２４０に通知する。
【００１７】
また、操作受付部２２０は、操作部２００を介して、心臓電気刺激装置１４０に対する第２の操作を受け付ける。操作受付部２２０は、心臓電気刺激装置１４０に対する第２の操作を受け付けた場合、その旨を心臓電気刺激装置１４０の実行制御部３４０に通知する。
【００１８】
実行制御部２４０は、生体情報記録装置１２０に対する操作を受け付けた旨の通知を操作受付部２２０から受けた場合、当該操作に対応する処理を実行するように制御する。例えば、実行制御部２４０は、生体情報の記録指示操作を受け付けた旨の通知を操作受付部２２０から受けた場合、当該生体情報の記録処理を実行するように制御する。
【００１９】
心臓電気刺激装置１４０は、被検者の心腔内に挿入されたカテーテルを介して当該被検者の心臓を刺激するものである。心臓電気刺激装置１４０の構成について説明する。図１に示すように、心臓電気刺激装置１４０は、操作部３００、操作受付部３２０（特許請求の範囲の「第１の操作受付部」に対応）および実行制御部３４０（特許請求の範囲の「実行制御部」に対応）を備えて構成されている。
【００２０】
操作部３００は、タッチパネルまたは操作スイッチ等であり、検査室の医師等が心臓電気刺激装置１４０に対して各種の操作（特許請求の範囲の「第１の操作」に対応し、以下「第１の操作」と称する）を直接的に行ったりするためのものである。第１の操作は例えば、電気刺激条件の設定操作、電気刺激の実行指示操作、電気刺激の停止指示操作などである。
【００２１】
操作受付部３２０は、操作部３００を介して、心臓電気刺激装置１４０に対する第１の操作を受け付ける。操作受付部３２０は、心臓電気刺激装置１４０に対する第１の操作を受け付けた場合、その旨を実行制御部３４０に通知する。
【００２２】
実行制御部３４０は、第１の操作を受け付けた旨の通知を操作受付部３２０から受けた場合、第２の操作を受け付けた旨の通知を生体情報記録装置１２０の操作受付部２２０から受けたか否か（つまり、操作受付部３２０および第２の操作受付部２２０により第１の操作および第２の操作が同時に受け付けられたか否か）について判定する。第２の操作を受け付けた旨の通知を受けていないと判定した場合、実行制御部３４０は、第１の操作に対応する処理を実行するように制御する。
【００２３】
一方、第２の操作を受け付けた旨の通知を受けたと判定した場合、実行制御部３４０は、操作の制御権を操作室（生体情報記録装置１２０）側に与え、第２の操作に対応する処理を実行するように制御する。
【００２４】
次に、第１の実施の形態における心臓電気刺激装置１４０の動作について説明する。図２は、第１の実施の形態における心臓電気刺激装置１４０の動作例を示すフローチャートである。図２の処理は、所定時間（例えば、心臓電気刺激装置１４０の制御周期）が経過する度に実行される処理である。
【００２５】
まず、実行制御部３４０は、第１の操作を受け付けた旨の通知を操作受付部３２０から受けたか否かについて判定する（ステップＳ１００）。もし、第１の操作を受け付けた旨の通知を受けていないと実行制御部３４０にて判定した場合（ステップＳ１００にてＮＯ）、心臓電気刺激装置１４０は図２における処理を終了する。
【００２６】
一方、第１の操作を受け付けた旨の通知を受けたと実行制御部３４０にて判定した場合（ステップＳ１００にてＹＥＳ）、実行制御部３４０は、第２の操作を受け付けた旨の通知を生体情報記録装置１２０の操作受付部２２０から受けたか否か（つまり、操作受付部３２０および第２の操作受付部２２０により第１の操作および第２の操作が同時に受け付けられたか否か）について判定する（ステップＳ１２０）。もし、第２の操作を受け付けた旨の通知を受けていないと実行制御部３４０にて判定した場合（ステップＳ１２０にてＮＯ）、実行制御部３４０は、第１の操作に対応する処理を実行するように制御する（ステップＳ１４０）。ステップＳ１４０の処理が完了することによって、心臓電気刺激装置１４０は図２における処理を終了する。
【００２７】
一方、第２の操作を受け付けた旨の通知を受けたと実行制御部３４０にて判定した場合（ステップＳ１２０にてＹＥＳ）、実行制御部３４０は、操作の制御権を操作室（生体情報記録装置１２０）側に与え、第２の操作に対応する処理を実行するように制御する（ステップＳ１６０）。ステップＳ１６０の処理が完了することによって、心臓電気刺激装置１４０は図２における処理を終了する。
【００２８】
以上詳しく説明したように、第１の実施の形態では、心臓電気刺激装置１４０に対する直接的な操作である第１の操作を受け付ける操作受付部３２０と、生体情報記録装置１２０からの心臓電気刺激装置１４０に対するリモート操作である第２の操作を受け付ける操作受付部２２０と、操作受付部３２０および操作受付部２２０により第１の操作および第２の操作が同時に受け付けられた場合、第１の操作に対応する処理は実行せずに、第２の操作に対応する処理を実行するように制御する実行制御部３４０とを備えるようにしている。
【００２９】
このように構成した第１の実施の形態によれば、操作室（生体情報記録装置１２０）および検査室（心臓電気刺激装置１４０）の両側から心臓電気刺激装置１４０が同時に操作された場合、操作室から行われたリモート操作のみが有効とされる。よって、操作室および検査室の両側から心臓電気刺激装置１４０が同時に操作された場合でも、操作室にいる操作者（医療従事者）の意図した処理を確実に実行することができる。
【００３０】
（第２の実施の形態）
次に、本発明の第２の実施の形態を図面に基づいて説明する。図３は、第２の実施の形態における医療システム１００の構成例を示すブロック図である。図３に示すように、心臓電気刺激装置１４０は、その機能構成として、図１の実行制御部３４０の代わりに、実行制御部３４２（特許請求の範囲の「実行制御部」および「電気刺激実行判定部」に対応）を備えている。なお、この図３において、図１に示した符号と同一の符号を付したものは同一の機能を有するものであるので、ここでは重複する説明を省略する。
【００３１】
実行制御部３４２は、第１の操作を受け付けた旨の通知を操作受付部３２０から受けた場合、第２の操作を受け付けた旨の通知を生体情報記録装置１２０の操作受付部２２０から受けたか否か（つまり、操作受付部３２０および第２の操作受付部２２０により第１の操作および第２の操作が同時に受け付けられたか否か）について判定する。第２の操作を受け付けた旨の通知を受けていないと判定した場合、実行制御部３４２は、第１の操作に対応する処理を実行するように制御する。
【００３２】
一方、第２の操作を受け付けた旨の通知を受けたと判定した場合、実行制御部３４２は、被検者の心臓を電気刺激する刺激処理を実行中であるか否かについて判定する。刺激処理を実行中であると判定した場合、実行制御部３４２は、操作の制御権を操作室（生体情報記録装置１２０）側に与えず、第１の操作に対応する処理を実行するように制御する。
【００３３】
一方、刺激処理を実行中でないと判定した場合、実行制御部３４２は、操作の制御権を操作室（生体情報記録装置１２０）側に与え、第２の操作に対応する処理を実行するように制御する。
【００３４】
次に、第２の実施の形態における心臓電気刺激装置１４０の動作について説明する。図４は、第２の実施の形態における心臓電気刺激装置１４０の動作例を示すフローチャートである。図４の処理は、所定時間（例えば、心臓電気刺激装置１４０の制御周期）が経過する度に実行される処理である。
【００３５】
まず、実行制御部３４２は、第１の操作を受け付けた旨の通知を操作受付部３２０から受けたか否かについて判定する（ステップＳ２００）。もし、第１の操作を受け付けた旨の通知を受けていないと実行制御部３４２にて判定した場合（ステップＳ２００にてＮＯ）、心臓電気刺激装置１４０は図４における処理を終了する。
【００３６】
一方、第１の操作を受け付けた旨の通知を受けたと実行制御部３４２にて判定した場合（ステップＳ２００にてＹＥＳ）、実行制御部３４２は、第２の操作を受け付けた旨の通知を生体情報記録装置１２０の操作受付部２２０から受けたか否か（つまり、操作受付部３２０および第２の操作受付部２２０により第１の操作および第２の操作が同時に受け付けられたか否か）について判定する（ステップＳ２２０）。もし、第２の操作を受け付けた旨の通知を受けていないと実行制御部３４２にて判定した場合（ステップＳ２２０にてＮＯ）、処理はステップＳ２６０に遷移する。
【００３７】
一方、第２の操作を受け付けた旨の通知を受けたと実行制御部３４２にて判定した場合（ステップＳ２２０にてＹＥＳ）、実行制御部３４２は、被検者の心臓を電気刺激する刺激処理を実行中であるか否かについて判定する（ステップＳ２４０）。もし、刺激処理を実行中であると実行制御部３４２にて判定した場合（ステップＳ２４０にてＹＥＳ）、実行制御部３４２は、操作の制御権を操作室（生体情報記録装置１２０）側に与えず、第１の操作に対応する処理を実行するように制御する（ステップＳ２６０）。ステップＳ２６０の処理が完了することによって、心臓電気刺激装置１４０は図４における処理を終了する。
【００３８】
一方、刺激処理を実行中でないと実行制御部３４２にて判定した場合（ステップＳ２４０にてＮＯ）、実行制御部３４２は、操作の制御権を操作室（生体情報記録装置１２０）側に与え、第２の操作に対応する処理を実行するように制御する（ステップＳ２８０）。ステップＳ２８０の処理が完了することによって、心臓電気刺激装置１４０は図４における処理を終了する。
【００３９】
以上詳しく説明したように、第２の実施の形態では、操作受付部３２０および操作受付部２２０により第１の操作および第２の操作が同時に受け付けられた場合、刺激処理が実行中であると判定したとき、第２の操作に対応する処理は実行せずに、第１の操作に対応する処理を実行するようにしている。刺激処理が実行中であるということは、検査室の医師等が心臓電気刺激装置１４０を実際に操作している可能性が高い。つまり、刺激処理が実行中である場合には、操作の制御権を操作室（生体情報記録装置１２０）側に与えないことによって、検査室の医師等が意図しないリモート操作（第２の操作）に応じた処理が実行されることを防止することができる。それ故、検査室の医師等は、心臓電気刺激装置１４０による刺激処理を安全に続けることができる。
【００４０】
（第３の実施の形態）
次に、本発明の第３の実施の形態を図面に基づいて説明する。図５は、第３の実施の形態における医療システム１００の構成例を示すブロック図である。図５に示すように、心臓電気刺激装置１４０は、その機能構成として、図１の実行制御部３４０の代わりに、実行制御部３４４（特許請求の範囲の「実行制御部」に対応）を備えている。また、心臓電気刺激装置１４０は、その機能構成として、イベント発生判定部２６０を更に備えている。なお、この図５において、図１に示した符号と同一の符号を付したものは同一の機能を有するものであるので、ここでは重複する説明を省略する。
【００４１】
イベント発生判定部２６０は、生体情報記録装置１２０において所定のイベントが発生したか否かについて判定する。イベント発生判定部２６０は、所定のイベントが発生したと判定した場合、その旨を心臓電気刺激装置１４０の実行制御部３４４に通知する。一方、イベント発生判定部２６０は、所定のイベントが発生していないと判定した場合、心臓電気刺激装置１４０に何も通知しない。所定のイベントは、生体情報記録装置１２０の動作環境を不安定にするイベントである。例えばマウス（操作部２００）のケーブルが生体情報記録装置１２０から抜けたことや、処理負荷の重いアプリケーションが生体情報記録装置１２０において多重起動されていること等である。
【００４２】
実行制御部３４４は、第１の操作を受け付けた旨の通知を操作受付部３２０から受けた場合、第２の操作を受け付けた旨の通知を生体情報記録装置１２０の操作受付部２２０から受けたか否か（つまり、操作受付部３２０および第２の操作受付部２２０により第１の操作および第２の操作が同時に受け付けられたか否か）について判定する。第２の操作を受け付けた旨の通知を受けていないと判定した場合、実行制御部３４４は、第１の操作に対応する処理を実行するように制御する。
【００４３】
一方、第２の操作を受け付けた旨の通知を受けたと判定した場合、実行制御部３４４は、所定のイベントが発生した旨の通知を生体情報記録装置１２０のイベント発生判定部２６０から受けたか否かについて判定する。所定のイベントが発生した旨の通知を受けたと判定した場合、実行制御部３４４は、操作の制御権を操作室（生体情報記録装置１２０）側に与えず、第１の操作に対応する処理を実行するように制御する。一方、所定のイベントが発生した旨の通知を受けていないと判定した場合、実行制御部３４４は、操作の制御権を操作室（生体情報記録装置１２０）側に与え、第２の操作に対応する処理を実行するように制御する。
【００４４】
次に、第３の実施の形態における心臓電気刺激装置１４０の動作について説明する。図６は、第３の実施の形態における心臓電気刺激装置１４０の動作例を示すフローチャートである。図６の処理は、所定時間（例えば、心臓電気刺激装置１４０の制御周期）が経過する度に実行される処理である。
【００４５】
まず、実行制御部３４４は、第１の操作を受け付けた旨の通知を操作受付部３２０から受けたか否かについて判定する（ステップＳ３００）。もし、第１の操作を受け付けた旨の通知を受けていないと実行制御部３４４にて判定した場合（ステップＳ３００にてＮＯ）、心臓電気刺激装置１４０は図６における処理を終了する。
【００４６】
一方、第１の操作を受け付けた旨の通知を受けたと実行制御部３４４にて判定した場合（ステップＳ３００にてＹＥＳ）、実行制御部３４４は、第２の操作を受け付けた旨の通知を生体情報記録装置１２０の操作受付部２２０から受けたか否か（つまり、操作受付部３２０および第２の操作受付部２２０により第１の操作および第２の操作が同時に受け付けられたか否か）について判定する（ステップＳ３２０）。もし、第２の操作を受け付けた旨の通知を受けていないと実行制御部３４４にて判定した場合（ステップＳ３２０にてＮＯ）、処理はステップＳ３６０に遷移する。
【００４７】
一方、第２の操作を受け付けた旨の通知を受けたと実行制御部３４４にて判定した場合（ステップＳ３２０にてＹＥＳ）、実行制御部３４４は、所定のイベントが発生した旨の通知を生体情報記録装置１２０のイベント発生判定部２６０から受けたか否かについて判定する（ステップＳ３４０）。もし、所定のイベントが発生した旨の通知を受けたと実行制御部３４４にて判定した場合（ステップＳ３４０にてＹＥＳ）、実行制御部３４４は、操作の制御権を操作室（生体情報記録装置１２０）側に与えず、第１の操作に対応する処理を実行するように制御する（ステップＳ３６０）。ステップＳ３６０の処理が完了することによって、心臓電気刺激装置１４０は図６における処理を終了する。
【００４８】
一方、所定のイベントが発生した旨の通知を受けていないと実行制御部３４４にて判定した場合（ステップＳ３４０にてＮＯ）、実行制御部３４４は、操作の制御権を操作室（生体情報記録装置１２０）側に与え、第２の操作に対応する処理を実行するように制御する（ステップＳ３８０）。ステップＳ３８０の処理が完了することによって、心臓電気刺激装置１４０は図６における処理を終了する。
【００４９】
以上詳しく説明したように、第３の実施の形態では、操作受付部３２０および操作受付部２２０により第１の操作および第２の操作が同時に受け付けられた場合、イベント発生判定部２６０により所定のイベントが発生したと判定されたとき、第２の操作に対応する処理は実行せずに、第１の操作に対応する処理を実行するようにしている。所定のイベントが発生したということは、生体情報記録装置１２０の動作環境が不安定になり、操作受付部２２０により受け付けられた第２の操作とは異なる操作信号が誤って心臓電気刺激装置１４０に通知され、操作室の検査技師等が意図しない処理が心臓電気刺激装置１４０で実行される可能性がある。そこで、所定のイベントが発生した場合には、操作の制御権を検査室（心臓電気刺激装置１４０）側に与える。これにより、操作室の検査技師等が意図しないリモート操作（第２の操作）に応じた処理が実行されることを確実に防止することができる。
【００５０】
（第４の実施の形態）
次に、本発明の第４の実施の形態を図面に基づいて説明する。図７は、第４の実施の形態における医療システム１００の構成例を示すブロック図である。図７に示すように、心臓電気刺激装置１４０は、その機能構成として、図５の実行制御部３４４の代わりに、実行制御部３４６（特許請求の範囲の「実行制御部」および「電気刺激実行判定部」に対応）を備えている。なお、この図７において、図５に示した符号と同一の符号を付したものは同一の機能を有するものであるので、ここでは重複する説明を省略する。
【００５１】
実行制御部３４６は、第１の操作を受け付けた旨の通知を操作受付部３２０から受けた場合、第２の操作を受け付けた旨の通知を生体情報記録装置１２０の操作受付部２２０から受けたか否か（つまり、操作受付部３２０および第２の操作受付部２２０により第１の操作および第２の操作が同時に受け付けられたか否か）について判定する。第２の操作を受け付けた旨の通知を受けていないと判定した場合、実行制御部３４６は、第１の操作に対応する処理を実行するように制御する。
【００５２】
一方、第２の操作を受け付けた旨の通知を受けたと判定した場合、実行制御部３４６は、被検者の心臓を電気刺激する刺激処理を実行中であるか否かについて判定する。刺激処理を実行中であると判定した場合、実行制御部３４６は、操作の制御権を操作室（生体情報記録装置１２０）側に与えず、第１の操作に対応する処理を実行するように制御する。
【００５３】
一方、刺激処理を実行中でないと判定した場合、実行制御部３４６は、所定のイベントが発生した旨の通知を生体情報記録装置１２０のイベント発生判定部２６０から受けたか否かについて判定する。所定のイベントが発生した旨の通知を受けたと判定した場合、実行制御部３４６は、操作の制御権を操作室（生体情報記録装置１２０）側に与えず、第１の操作に対応する処理を実行するように制御する。一方、所定のイベントが発生した旨の通知を受けていないと判定した場合、実行制御部３４６は、操作の制御権を操作室（生体情報記録装置１２０）側に与え、第２の操作に対応する処理を実行するように制御する。
【００５４】
次に、第４の実施の形態における心臓電気刺激装置１４０の動作について説明する。図８は、第４の実施の形態における心臓電気刺激装置１４０の動作例を示すフローチャートである。図８の処理は、所定時間（例えば、心臓電気刺激装置１４０の制御周期）が経過する度に実行される処理である。
【００５５】
まず、実行制御部３４６は、第１の操作を受け付けた旨の通知を操作受付部３２０から受けたか否かについて判定する（ステップＳ４００）。もし、第１の操作を受け付けた旨の通知を受けていないと実行制御部３４６にて判定した場合（ステップＳ４００にてＮＯ）、心臓電気刺激装置１４０は図８における処理を終了する。
【００５６】
一方、第１の操作を受け付けた旨の通知を受けたと実行制御部３４６にて判定した場合（ステップＳ４００にてＹＥＳ）、実行制御部３４６は、第２の操作を受け付けた旨の通知を生体情報記録装置１２０の操作受付部２２０から受けたか否か（つまり、操作受付部３２０および第２の操作受付部２２０により第１の操作および第２の操作が同時に受け付けられたか否か）について判定する（ステップＳ４２０）。もし、第２の操作を受け付けた旨の通知を受けていないと実行制御部３４６にて判定した場合（ステップＳ４２０にてＮＯ）、処理はステップＳ４８０に遷移する。
【００５７】
一方、第２の操作を受け付けた旨の通知を受けたと実行制御部３４６にて判定した場合（ステップＳ４２０にてＹＥＳ）、実行制御部３４６は、被検者の心臓を電気刺激する刺激処理を実行中であるか否かについて判定する（ステップＳ４４０）。もし、刺激処理を実行中であると実行制御部３４６にて判定した場合（ステップＳ４４０にてＹＥＳ）、処理はステップＳ４８０に遷移する。
【００５８】
一方、刺激処理を実行中でないと実行制御部３４６にて判定した場合（ステップＳ４４０にてＮＯ）、実行制御部３４６は、所定のイベントが発生した旨の通知を生体情報記録装置１２０のイベント発生判定部２６０から受けたか否かについて判定する（ステップＳ４６０）。もし、所定のイベントが発生した旨の通知を受けたと実行制御部３４６にて判定した場合（ステップＳ４６０にてＹＥＳ）、実行制御部３４６は、操作の制御権を操作室（生体情報記録装置１２０）側に与えず、第１の操作に対応する処理を実行するように制御する（ステップＳ４８０）。ステップＳ４８０の処理が完了することによって、心臓電気刺激装置１４０は図８における処理を終了する。
【００５９】
一方、所定のイベントが発生した旨の通知を受けていないと実行制御部３４６にて判定した場合（ステップＳ４６０にてＮＯ）、実行制御部３４６は、操作の制御権を操作室（生体情報記録装置１２０）側に与え、第２の操作に対応する処理を実行するように制御する（ステップＳ５００）。ステップＳ５００の処理が完了することによって、心臓電気刺激装置１４０は図８における処理を終了する。
【００６０】
以上詳しく説明したように、第４の実施の形態では、操作受付部３２０および操作受付部２２０により第１の操作および第２の操作が同時に受け付けられた場合、刺激処理が実行中であると判定したとき、第２の操作に対応する処理は実行せずに、第１の操作に対応する処理を実行するようにしている。刺激処理が実行中であるということは、検査室の医師等が心臓電気刺激装置１４０を実際に操作している可能性が高い。つまり、刺激処理が実行中である場合には、操作の制御権を検査室（心臓電気刺激装置１４０）側に与えることによって、検査室の医師等が意図しないリモート操作（第２の操作）に応じた処理が実行されることを防止することができる。それ故、検査室の医師等は、心臓電気刺激装置１４０による刺激処理を安全に続けることができる。
【００６１】
また、第４の実施の形態では、操作受付部３２０および操作受付部２２０により第１の操作および第２の操作が同時に受け付けられ、刺激処理が実行中でないと判定した場合でも、イベント発生判定部２６０により所定のイベントが発生したと判定されたときには、第２の操作に対応する処理は実行せずに、第１の操作に対応する処理を実行するようにしている。所定のイベントが発生したということは、生体情報記録装置１２０の動作環境が不安定になり、操作受付部２２０により受け付けられた第２の操作とは異なる操作信号が誤って心臓電気刺激装置１４０に通知され、操作室の検査技師等が意図しない処理が心臓電気刺激装置１４０で実行される可能性がある。そこで、所定のイベントが発生した場合には、操作の制御権を検査室（心臓電気刺激装置１４０）側に与える。これにより、操作室の検査技師等が意図しないリモート操作（第２の操作）に応じた処理が実行されることを確実に防止することができる。
【００６２】
以上に説明した第１〜第４の実施の形態による生体情報記録装置１２０および心臓電気刺激装置１４０の機能は、ソフトウェアによって実現される。実際には、生体情報記録装置１２０および心臓電気刺激装置１４０がＣＰＵあるいはＭＰＵ、ＲＡＭ、ＲＯＭなどを備えて構成され、ＲＡＭやＲＯＭに記憶されたプログラムが動作することによって実現できる。
【００６３】
なお、上記第３および第４の実施の形態において、イベント発生判定部２６０により所定のイベントが発生したと判定された場合、第１の操作が心臓電気刺激装置１４０における操作頻度の高い操作キー、または、安全上重要な操作キーを押下する操作であるときに限り、第２の操作に対応する処理は実行せずに、第１の操作に対応する処理を実行しても良い。所定のイベントが発生した場合、操作の制御権を一律に検査室（心臓電気刺激装置１４０）側に与えるようにしても、検査室にいる医師や看護師等が心臓電気刺激装置１４０の操作部３００に接触して不用意に心臓電気刺激装置１４０が操作されてしまう場合もあり得る。この場合、操作室の検査技師等が意図しない処理が心臓電気刺激装置１４０で実行される。そこで、本変形例では、第１の操作が心臓電気刺激装置１４０における操作頻度の高い操作キー（例えば、電気刺激の回数や間隔が予め設定されたプログラムにより電気刺激を行う時に使用するイベントキーなど）、または、安全上重要な操作キー（例えば、電気刺激を停止するストップキーなど）を押下する操作であるとき（つまり、検査室にいる医師等が意図的に心臓電気刺激装置１４０を操作した可能性が高いと推定されるとき）に限り、操作の制御権を検査室（心臓電気刺激装置１４０）側に与えて、第１の操作に対応する処理を実行する。これにより、操作室の医療従事者が意図しない処理が心臓電気刺激装置１４０で実行されることを確実に防止することができる。なお、これら操作頻度の高い操作キー、または、安全上重要な操作キーは、独立した固定キー（タッチパネル上の表示範囲外にシール等を貼ることにより設けられた操作キー、または、タッチパネルの外側に設けられたメカニカルキー（メカスイッチ））として設置した方がより操作性が良い。
【００６４】
その他、上記第１〜第４の実施の形態は、何れも本発明を実施するにあたっての具体化の一例を示したものに過ぎず、これらによって本発明の技術的範囲が限定的に解釈されてはならないものである。すなわち、本発明はその要旨、またはその主要な特徴から逸脱することなく、様々な形で実施することができる。
【符号の説明】
【００６５】
１００  医療システム
１２０  生体情報記録装置
１４０  心臓電気刺激装置
２００  操作部
２２０  操作受付部（第２の操作受付部）
２４０  実行制御部
２６０  イベント発生判定部
３００  操作部
３２０  操作受付部（第１の操作受付部）
３４０，３４２，３４４，３４６  実行制御部（実行制御部、電気刺激実行判定部）
【図１】
0005701173.tif 000002
【図２】
0005701173.tif 000003
【図３】
0005701173.tif 000004
【図４】
0005701173.tif 000005
【図５】
0005701173.tif 000006
【図６】
0005701173.tif 000007
【図７】
0005701173.tif 000008
【図８】
0005701173.tif 000009